(57)【要約】【課題】  簡易（仮設）住宅、スタジオアパートメントへの設置に適した収容式ベッドおよび当該収容式ベッドの設計方法を提供する。【解決手段】  本発明の収容式ベッド１では、ベッド１１は、第１固定軸ＦＸ１により軸支されて、台面Ｓ１が鉛直となる位置と水平となる位置との間で第１固定軸ＦＸ１を中心に９０°回動する。テーブル１１３は、第１固定軸ＦＸ１から距離を隔てて設けられた第１移動軸ＭＶ１によりマット台１１１に軸結され、台面Ｓ１が鉛直となったときに最上に位置し、台面Ｓ１が水平となったときに最下に位置する。支持体１２の第１固定軸から鉛直上方に所定距離隔てた位置に設けられた第２固定軸ＦＸ２と、テーブル１３の第１移動軸ＭＶ１から鉛直上方に所定距離隔てた位置に設けられた第２移動軸ＭＶ１との間に設けられたリンク１４によりテーブル１３を常に水平に維持する。【選択図】  図１
2013192734.tif 000002
【特許請求の範囲】
【請求項１】
ベッドまたはソファと、テーブルと、前記ベッドまたは前記ソファおよび前記テーブルを支持する支持体とを備え、
前記ベッドは、長方形のマット台の台面に平行でかつ前記マット台の長さ方向に垂直または平行な第１固定軸により軸支されて、前記台面が鉛直となる位置と水平となる位置との間で前記第１固定軸を中心に９０°回動し、
前記テーブルは、前記第１固定軸から距離を隔てて設けられた第１移動軸により前記マット台に軸結され、前記台面が鉛直となったときに最上に位置し、前記台面が水平となったときに最下に位置し、
前記支持体の前記第１固定軸から鉛直上方に所定距離隔てた位置に設けられた第２固定軸と、前記テーブルの前記第１移動軸から鉛直上方に前記所定距離隔てた位置に設けられた第２移動軸との間に設けられたリンクにより前記テーブルを常に水平に維持する、
ことを特徴とする収容式ベッド。
【請求項２】
ベッドまたはソファと、テーブルと、前記ベッドまたは前記ソファおよび前記テーブルを支持する支持体とを備え、
前記ベッドは、長方形のマット台の台面に平行でかつ前記マット台の長さ方向に垂直または平行な第１固定軸により軸支されて、前記台面が鉛直となる位置と水平となる位置との間で前記第１固定軸を中心に９０°回動し、
前記テーブルは、前記第１固定軸から距離を隔てて設けられた第１移動軸により前記マット台に軸結され、前記台面が鉛直となったときに最上に位置し、前記台面が水平となったときに最下に位置し、
前記支持体の前記第１固定軸から鉛直上方に所定距離隔てた位置に設けられた第２固定軸と、前記テーブルの前記第１移動軸から鉛直上方に前記所定距離隔てた位置に設けられた第２移動軸との間に設けられたリンク、または、
前記支持体の前記第１固定軸から鉛直下方に所定距離隔てた位置に設けられた第２固定軸と、前記テーブルの前記第１移動軸から鉛直下方に前記所定距離隔てた位置に設けられた第２移動軸との間に設けられたリンク、
によりが前記テーブルを常に水平に維持する収容式ベッドの設計方法において、
前記第１固定軸の床面からの高さを「Ａ」、前記第１固定軸に対する前記ベッドの台面の高さを「ｈ１」とする。高さ「Ａ」と高さ和「ｈ１」とにより前記台面が水平となったときの当該台面１１１の高さ（ベッド１１の高さ）ＨＢさが次式により示され、
ＨB＝Ａ＋ｈ１    （１）
前記ベッドの台面が鉛直となったときの前記第１移動軸の床面からの高さを「Ｂ」とし、前記第１移動軸と前記テーブルの表面までの距離を「ｈ２」とし、前記台面が鉛直となったときの前記第１固定軸と前記第１移動軸とを結ぶ直線の仰角がθ、前記第１固定軸と前記第１移動軸との距離をＬ１としたときに、Ｂが次式で表され、
Ｂ＝Ｌ１ｓｉｎθ＋Ｌ１ｃｏｓθ＋ｈ２
＝２１／２×（１／２）×Ｌ１ｓｉｎ（θ＋４５°）＋ｈ２            （２）
上記（１）および（２）式を満足すように、前記ＨＳ、Ａ、Ｂ、ｈ１、ｈ２、Ｌ１およびθを選ぶことを特徴とする収容式ベッドの設計方法。
【発明の詳細な説明】
【技術分野】
【０００１】
本発明は、簡易（仮設）住宅、スタジオアパートメントへの設置に適した収容式ベッドおよび収容式ベッドの設計方法に関する。
【背景技術】
【０００２】
従来、図９（Ａ），（Ｂ）に示すように、ベッドまたはソファの機能とテーブルの機能とを備えた収容式ベッドが知られている。
図９（Ａ）は、収容式ベッド９がテーブル９３として使用されるとき（ベッド９１が収容されているとき）の側面図である。人を符号８１で、椅子を符号８２で示してある。
図９（Ｂ）は、収容式ベッド９がベッド９１として使用されるときの側面図である。これらの側面図は、長方形のベッド９１や長方形のテーブル９３を短辺側から見ている。
【０００３】
ベッド９１は、第１固定軸ＦＸ１により支持体９２に軸着されている。第１固定軸ＦＸ１は、長方形のマット台９１１の台面Ｓ１に平行でかつマット台９１１の長さ方向に平行（すなわち、短辺に垂直）である。
ベッド９１は、台面Ｓ１が鉛直となる位置（図９（Ａ）参照）と水平となる位置（図９（Ｂ）参照）との間で、第１固定軸ＦＸ１を中心に９０°回動することができる。
マット台９１１の短辺上であって、台面Ｓ１が鉛直となっているときに床面Ｆ側に位置する隅の近傍に突起片Ｅ１が設けられている。突起片Ｅ１はマット台９１１の裏面に垂直に設けられている。突起片Ｅ１に、第１固定軸ＦＸ１がセットされる。
マット台９１１の、突起片Ｅ１から遠い側の隅（台面Ｓ１が鉛直となったときに上に位置する隅）には台脚Ｊが設けられている。
【０００４】
テーブル９３は、第１固定軸ＦＸ１から距離Ｌ１を隔てて設けられた第１移動軸ＭＶ１よりマット台９１１に軸結されている。
マット台９１１の短辺上の裏面には突起片Ｅ１のほか、マット台９１１を懸架するための突起片Ｅ２が台面Ｓ１に垂直に設けられている。この突起片Ｅ２は、突起片Ｅ１と台脚Ｊとの間に設けられている。突起片Ｅ３は、マット台９１１の短辺の裏面に、台面Ｓ１に垂直に設けられている。突起片Ｅ３は、突起片Ｅ２に軸着されている。
【０００５】
支持体９２の、第１固定軸ＦＸ１から鉛直上方に距離ｃ２だけ隔てた位置に第２固定軸ＦＸ２が設けられている。また、テーブル９３の第１移動軸ＭＶ１から鉛直上方に距離ｃ２だけ隔てた位置に第２移動軸ＭＶ２が設けられている。図９（Ａ），（Ｂ）では、第２移動軸ＭＶ２は突起片Ｅ３に設けられている。
【０００６】
第２固定軸ＦＸ２と第２移動軸ＭＶ２とには、リンク９４が架設されている。
リンク９４により、第１固定軸ＦＸ１、第２固定軸ＦＸ２、第１移動軸ＭＶ１および第２移動軸ＭＶ２が平行四辺形を構成する。このリンク９４は、テーブル９３を常に水平に維持するように機能する。
この平行四辺形は、長辺の長さｃ１、短辺の長さｃ２である。第１移動軸ＭＶ１は、第１固定軸ＦＸ１を中心に９０°回転し、第２移動軸ＭＶ２も第２固定軸ＦＸ２を中心に９０°回転する。
【０００７】
これにより、テーブル９３は、図９（Ａ）に示すように台面Ｓ１が鉛直となったときに最上に位置し、図９（Ｂ）に示すように台面Ｓ１が水平となったときに最下に位置する。
以上のように、収容式ベッド９は、テーブル９３として機能するときには、図９（Ａ）に示すように、ベッド９１はテーブル９３の背面に収容できる。
【０００８】
また、収容式ベッド９は、ベッド９１として機能するときには、図９（Ｂ）に示すように、ベッド９１を水平に倒す。このとき、テーブル９３は自動的にベッド９１の下に退避される。このとき、テーブル９３とマット台９１１との間には適宜距離（たとえば２０から３０ｃｍ）が確保される。すなわち、テーブル９３上に、書籍、パーソナルコンピュータ等が置かれたまま、テーブル９３をベッド９１の下に退避することができる。
【先行技術文献】
【特許文献】
【０００９】
【特許文献１】特許第４１０９１９３号
【発明の概要】
【発明が解決しようとする課題】
【００１０】
ところで、図９（Ａ），（Ｂ）に示す収容式ベッド９には、以下のような不都合がある。
〔１〕
ベッド９１の高さＨＢを高くすると、テーブル９３の高さＨTを高くせざるを得ない。また、テーブル９３の高さＨTを低くすると、ベッド９１の高さＨＢも低くせざるを得ない。すなわち、テーブル９３の高さとベッド９１の高さを、本来の使用形態に合わせることができない。
【００１１】
〔２〕
（ａ）第１固定軸ＦＸ１の高さ、（ｂ）第１固定軸ＦＸ１と第２固定軸ＦＸ２との距離（第１移動軸ＭＶ１と第２移動軸ＭＶ２との距離）ｃ２、（ｃ）第１固定軸ＦＸ１と第１移動軸ＭＶ１との水平距離、（ｄ）第１移動軸ＭＶ１とテーブル９３の下面との距離を正確に設定する必要がある。
テーブル９３の下面は、床面Ｆに正確に設定されている必要がある。しかし、これらの設定が適切でないと、テーブル９３の下面が床面Ｆよりも低く設定されてしまい、ベッド９１の台面Ｓ１が水平とならずに、収容式ベッド９の機能を発揮できない。
このため、試行錯誤により各軸の位置を決めざるを得ない。
【００１２】
〔３〕
ベッド９１の高さＨＢ、テーブル９３の高さの位置調整ができない。このため、使用者の身長に応じた設定が容易でない。
【００１３】
本発明の目的は、上記の問題を解決するために提案されたものであって、簡易（仮設）住宅、スタジオアパートメントへの設置に適した収容式ベッドおよび当該収容式ベッドの設計方法を提供することである。
【課題を解決するための手段】
【００１４】
本発明の収容式ベッドは以下を要旨とする。
（１）
ベッドまたはソファと、テーブルと、前記ベッドまたは前記ソファおよび前記テーブルを支持する支持体とを備え、
前記ベッドは、長方形のマット台の台面に平行でかつ前記マット台の長さ方向に垂直または平行な第１固定軸により軸支されて、前記台面が鉛直となる位置と水平となる位置との間で前記第１固定軸を中心に９０°回動し、
前記テーブルは、前記第１固定軸から距離を隔てて設けられた第１移動軸により前記マット台に軸結され、前記台面が鉛直となったときに最上に位置し、前記台面が水平となったときに最下に位置し、
前記支持体の前記第１固定軸から鉛直上方に所定距離隔てた位置に設けられた第２固定軸と、前記テーブルの前記第１移動軸から鉛直上方に前記所定距離隔てた位置に設けられた第２移動軸との間に設けられたリンクにより前記テーブルを常に水平に維持する、
ことを特徴とする収容式ベッド。
【００１５】
本発明の収容式ベッドの設計方法は以下を要旨とする。
（２）
ベッドまたはソファと、テーブルと、前記ベッドまたは前記ソファおよび前記テーブルを支持する支持体とを備え、
前記ベッドは、長方形のマット台の台面に平行でかつ前記マット台の長さ方向に垂直または平行な第１固定軸により軸支されて、前記台面が鉛直となる位置と水平となる位置との間で前記第１固定軸を中心に９０°回動し、
前記テーブルは、前記第１固定軸から距離を隔てて設けられた第１移動軸により前記マット台に軸結され、前記台面が鉛直となったときに最上に位置し、前記台面が水平となったときに最下に位置し、
前記支持体の前記第１固定軸から鉛直上方に所定距離隔てた位置に設けられた第２固定軸と、前記テーブルの前記第１移動軸から鉛直上方に前記所定距離隔てた位置に設けられた第２移動軸との間に設けられたリンク、または、
前記支持体の前記第１固定軸から鉛直下方に所定距離隔てた位置に設けられた第２固定軸と、前記テーブルの前記第１移動軸から鉛直下方に前記所定距離隔てた位置に設けられた第２移動軸との間に設けられたリンク、
によりが前記テーブルを常に水平に維持する収容式ベッドの設計方法において、
前記第１固定軸の床面からの高さを「Ａ」、前記第１固定軸に対する前記ベッドの台面の高さを「ｈ１」とする。高さ「Ａ」と高さ和「ｈ１」とにより前記台面が水平となったときの当該台面の高さが次式により示され、
ＨＳ＝Ａ＋ｈ１    （１）
前記ベッドの台面が鉛直となったときの前記第１移動軸の床面からの高さを「Ｂ」とし、前記第１移動軸と前記テーブルの表面までの距離を「ｈ２」とし、前記台面が鉛直となったときの前記第１固定軸と前記第１移動軸とを結ぶ直線の仰角がθ、前記第１固定軸と前記第１移動軸との距離をＬ１としたときに、Ｂが次式で表され、
Ｂ＝Ｌ１ｓｉｎθ＋Ｌ１ｃｏｓθ＋ｈ２
＝２１／２×（１／２）×Ｌ１ｓｉｎ（θ＋４５°）＋ｈ２            （２）
上記（１）および（２）式を満足すように、前記ＨＳ、Ａ、Ｂ、ｈ１、ｈ２、Ｌ１およびθを選ぶことを特徴とする収容式ベッドの設計方法。
ただし、ｈ１は、第１固定軸が台面よりも下にあるときを正とする。
【発明の効果】
【００１６】
（１）
従来の収容式ベッドに比べて、テーブルの高さを高く、かつベッドの高さを低くすることができる。
（２）
設計に際して、少ないパラメータ（第１固定軸と第２固定軸との距離、第１固定軸と第１移動軸との距離、床面に対する第１固定軸の高さ、台面が鉛直となったときの第１固定軸と第１移動軸との仰角等との関係を設定するだけで、ベッドの使用時におけるテーブルの下面を床面に一致させることができる。
（３）
使用者の身長に応じて、ベッドの高さ、テーブルの高さの位置調整の機能を組み込むこともできる。このため、使用者の身長に応じた設計が容易となる。
【図面の簡単な説明】
【００１７】
【図１】図１は本発明の収容式ベッドの第１の実施形態の説明図であり、（Ａ）は収容式ベッドがテーブルとして使用されるときの説明図、（Ｂ）は収容式ベッドがベッドとして使用されるときの説明図である。
【図２】図２は収容式ベッドの斜視図であり、（Ａ）は収容式ベッドがテーブルとして使用されるときの説明図、（Ｂ）は収容式ベッドがベッドとして使用されるときの説明図である。
【図３】図３は、本発明の収容式ベッドの設計方法の第１実施形態を示す説明図である。
【図４】図４は本発明の収容式ベッドの第２の実施形態の説明図であり、（Ａ）は収容式ベッドがテーブルとして使用されるときの説明図、（Ｂ）は収容式ベッドがベッドとして使用されるときの説明図である。
【図５】図５は、本発明の収容式ベッドの設計方法の第２実施形態を示す説明図である。
【図６】図６は本発明の収容式ベッドの第３の実施形態の説明図であり、収容式ベッドには高さ調整機能が付属している。
【図７】図６に示す第１固定軸と第２固定軸の位置および第１移動軸と第２移動軸の位置に基づく収容式ベッドの動作を示す図である。
【図８】図７に示す第１固定軸と第２固定軸の位置および第１移動軸と第２移動軸の位置を一段に移動することでベッド高さが変更された収容式ベッドの動作を示す図である。
【図９】従来の収容式ベッドの説明図であり、（Ａ）は収容式ベッドがテーブルとして使用されるときの説明図、（Ｂ）は収容式ベッドがベッドとして使用されるときの説明図である。
【発明を実施するための形態】
【００１８】
本発明の収容式ベッドの第１の実施形態を説明する。
図１（Ａ），（Ｂ）の収容式ベッド１は、ベッド１１（ソファであってもよい）とテーブル１３の機能とを備えている。
【００１９】
図１（Ａ）は、収容式ベッド１がテーブル１３として使用されるとき（ベッド１１が収容されているとき）の側面図である。人を符号８１で、椅子を符号８２で示してある。
図９（Ｂ）は、収容式ベッド９がベッド９１として使用されるとき（テーブル１３がベッド１１の下面に退避しているとき）の側面図である。これらの側面図は、長方形のベッド１１や長方形のテーブル１３を短辺側から見た図である。
図２は収容式ベッド１の斜視図である。
なお、図１（Ａ），（Ｂ）は、説明のための模式図である。したがって、図１（Ａ），（Ｂ）で表現されている紙面上の寸法は、実際の収容式ベッドの寸法とは異なる。
また、図１（Ａ），（Ｂ）および図２は収容式ベッド１の一例を示すもので、本発明は図２の構成に限定されない
【００２０】
ベッド１１は、第１固定軸ＦＸ１により支持体１２に軸着されている。第１固定軸ＦＸ１は、長方形のマット台１１１の台面Ｓ１に平行でかつマット台１１１の長さ方向に平行（すなわち、短辺に垂直）である。
マット台１１１の短辺上であって、台面Ｓ１が鉛直となっているときに床面Ｆ側に位置する隅の近傍に突起片Ｅ１が設けられている。突起片Ｅ１はマット台１１１の裏面に垂直に設けられている。突起片Ｅ１に、第１固定軸ＦＸ１がセットされる。
ベッド１１は、台面Ｓ１が鉛直となる位置（図１（Ａ）参照）と水平となる位置（図１（Ｂ），図２（Ｂ）参照）との間で、第１固定軸ＦＸ１を中心に９０°回動することができる。
マット台１１１の、突起片Ｅ１から遠い側の隅（台面Ｓ１が鉛直となったときに上に位置する隅）には台脚Ｊが設けられている。
【００２１】
テーブル１３は、第１固定軸ＦＸ１から距離Ｌ１を隔てて設けられた第１移動軸ＭＶ１よりマット台１１１に軸結されている。第１固定軸ＦＸ１と、第１移動軸ＭＶ１とを結ぶ直線の仰角はθである。
マット台１１１の裏面には突起片Ｅ１のほか、マット台１１１を懸架するための突起片Ｅ２が設けられている。この突起片Ｅ２は、マット台１１１の短辺上であって、突起片Ｅ１と台脚Ｊとの間に設けられている。
【００２２】
突起片Ｅ３は、テーブル１３の表面に垂直に設けられ、この突起片Ｅ３は突起片Ｅ２に軸着される。これにより、マット台１１１は、突起片Ｅ３は突起片Ｅ２を介して、テーブル１３に懸架される。
【００２３】
支持体１２の、第１固定軸ＦＸ１から鉛直下方に距離Ｌ２だけ隔てた位置に第２固定軸ＦＸ２が設けられている。また、テーブル１３の第１移動軸ＭＶ１から鉛直下方に距離Ｌ２だけ隔てた位置に第２移動軸ＭＶ２が設けられている。図１（Ａ），（Ｂ）では、第２移動軸ＭＶ２は突起片Ｅ３に設けられている。
【００２４】
第２固定軸ＦＸ２と第２移動軸ＭＶ２とには、リンク１４が架設されている。
リンク１４により、第１固定軸ＦＸ１、第２固定軸ＦＸ２、第１移動軸ＭＶ１、第２移動軸ＭＶ２が、平行四辺形を構成する。このリンク１４は、テーブル１３を常に水平に維持するように機能する。
この平行四辺形は、長辺の長さがＬ１、短辺の長さがＬ２である。第１移動軸ＭＶ１は、第１固定軸ＦＸ１を中心に９０°回転し、第２移動軸ＭＶ２も第２固定軸ＦＸ２を中心に９０°回転する。
これにより、テーブル１３は、図１（Ａ）に示すように台面Ｓ１が鉛直となったときに最上に位置する。また、テーブル１３は、図１（Ｂ）に示すように台面Ｓ１が水平となったときに最下に位置する。
【００２５】
以上のように、収容式ベッド１は、テーブル１３として機能するときには、図１（Ａ）に示すように、ベッド１１はテーブル１３の背面に収容できる。
また、収容式ベッド１は、ベッド１１として機能するときには、図１（Ｂ）に示すように、ベッド１１を水平に倒す。このとき、テーブル１３は、自動的にベッド１１の下に退避する。このとき、テーブル１３とマット台１１１との間には適宜距離（たとえば２０から３０ｃｍ）が確保される。すなわち、テーブル１３上に書籍、小型コンピュータ等が置かれたまま、テーブル１３をベッド１１の下に配置することができる。
【００２６】
本実施形態によれば、図１（Ｂ）を図９（Ｂ）と比較すれば明らかように、ベッド１１の高さＨＢを低くすることができる。
【００２７】
次に、本発明の収容式ベッドの設計方法の第１実施形態を図３により説明する。
本実施形態では、図２（Ａ），（Ｂ）に示した収容式ベッド１を設計する方法について説明する。
第１固定軸ＦＸ１の床面Ｆからの高さを「Ａ」、第１固定軸ＦＸ１に対する台面の高さを「ｈ１」とする。高さ「Ａ」と高さの和「ｈ１」とによりベッド１１の台面Ｓ１が水平となったときの台面Ｓ１の高さＨＳが設定される。この関係は、（１）式により示される。
【００２８】
ＨＳ＝Ａ＋ｈ１            （１）
ベッド１１の台面Ｓ１が鉛直となったときの第１移動軸ＭＶ１の床面Ｆからの高さを「Ｂ」とする。また、第１移動軸ＭＶ１とテーブル１３のテーブル面Ｓ２までの距離を「ｈ１」とする。前述したように、ベッド１１の台面Ｓ１が鉛直となったときの、第１固定軸ＦＸ１と、第１移動軸ＭＶ１とを結ぶ直線の仰角はθである。また、第１固定軸ＦＸ１と第１移動軸ＭＶ１と距離はＬ１である。
【００２９】
したがって、（２）式が成立する。
Ｂ＝Ｌ１ｓｉｎθ＋Ｌ１ｃｏｓθ＋ｈ１
＝２１／２×（１／２）×Ｌ１ｓｉｎ（θ＋４５°）＋ｈ１            （２）
（１）式と（２）式を満足すように、ＨＳ、Ａ、Ｂ、ｈ１、Ｌ１およびθを選べば、ベッド１１を、台面Ｓ１が鉛直となる位置（図１（Ａ）参照）から、第１固定軸ＦＸ１を中心に９０°回動したときに、台面Ｓ１は床面Ｆと一致する（図１（Ｂ），図２（Ｂ）参照）。
【００３０】
本発明の収容式ベッドの第２の実施形態を説明する。
図４（Ａ），（Ｂ）の収容式ベッド１は、図１（Ａ），（Ｂ）の収容式ベッド１と概略同じである。したがって、本実施形態では、図１の収容式ベッド１と異なる構成のみを説明する。
図１（Ａ），（Ｂ）では、突起片Ｅ１は、マット台１１１の裏面に垂直に設けられている。
これに対して、図４（Ａ），（Ｂ）では、突起片Ｅ１は、マット台１１１の表面に垂直に設けられている。また、突起片Ｅ１は、台面Ｓ１が鉛直となっているときに床面Ｆ側に位置する隅のごく近傍に設けられている。
本実施形態では、図４（Ｂ）を図１（Ｂ）と比較すれば明らかように、ベッド１１の高さＨＢをさらに低くすることができる。
【００３１】
次に、本発明の収容式ベッドの設計方法の第２の実施形態を図５により説明する。
本実施形態では、図４（Ａ），（Ｂ）に示した収容式ベッド１を設計する方法について説明する。
第１固定軸ＦＸ１の床面Ｆからの高さを「Ａ」、第１固定軸ＦＸ１に対する台面の高さを「ｈ１」とする。高さ「Ａ」と高さの和「ｈ１」とによりベッド１１の台面Ｓ１が水平となったときの台面Ｓ１の高さＨＳが設定される。この関係は、前述の（１）式、
ＨＳ＝Ａ＋ｈ１            （１）
により示される。
【００３２】
本実施形態でも、第１固定軸ＦＸ１の床面Ｆからの高さを「Ａ」としてある。ただし、図１（Ａ），（Ｂ）の実施形態では突起片Ｅ１はマット台１１１の裏面に垂直に設けられている。これに対して、本実施形態では、突起片Ｅ１はマット台１１１の表面に垂直に設けられている。第１固定軸ＦＸ１に対する台面Ｓ１の高さを「−ｈ１」としてある。よって、ベッド１１の台面Ｓ１が水平となったときの台面Ｓ１の高さＨＳは（３）式により示される。
【００３３】
ＨＳ＝Ａ−ｈ１            （３）
また、ベッド１１の台面Ｓ１が鉛直となったときの第１移動軸ＭＶ１の床面Ｆからの高さ「Ｂ」は（４）式で表される。
Ｂ＝Ｌ１ｓｉｎθ＋Ｌ１ｃｏｓθ−ｈ１
＝２１／２×（１／２）×Ｌ１ｓｉｎ（θ＋４５°）−ｈ１            （４）
よって、第２実施形態では（３）式と（４）式を満足すように、ＨＳ、Ａ、Ｂ、ｈ１、Ｌ１およびθを選べば、ベッド１１を、台面Ｓ１が鉛直となる位置（図１（Ａ）参照）から、第１固定軸ＦＸ１を中心に９０°回動したときに、台面Ｓ１は床面Ｆと一致する（図１（Ｂ），図２（Ｂ）参照）。
【００３４】
本発明の収容式ベッドの第３の実施形態を説明する。
図６は、高さ調整機能付きの収容式ベッドを示している。
図６の収容式ベッド１では突起片Ｅ１，突起片Ｅ２にマット台１１１の短辺に沿って、間隔Ｌ２の複数の軸孔が設けられ、突起片Ｅ３にはテーブル面Ｓ２に垂直に間隔Ｌ２の複数の軸孔が設けられている。
図６の収容式ベッド１では、台脚Ｊは長さがＬ２単位で変更できるように構成されている。
【００３５】
図７は図６に示す第１固定軸ＦＸ１と第２固定軸ＦＸ２の位置および第１移動軸ＭＶ１と第２移動軸ＭＶ２の位置に基づく収容式ベッド１の動作状態を示している。
これに対して図８は、図７に示す第１固定軸ＦＸ１と第２固定軸ＦＸ２の位置および第１移動軸ＭＶ１と第２移動軸ＭＶ２の位置を一段にシフトすることでベッド１１の高さを変更した収容式ベッド１の動作状態を示している。
以上のように第１固定軸ＦＸ１と第２固定軸ＦＸ２の位置および第１移動軸ＭＶ１と第２移動軸ＭＶ２の位置を変更することで、ベッド１１やテーブル１３高さを自在に変更することができる。
【００３６】
なお、上記実施形態では、ベッド１１をベッドの長辺に平行な軸を中心に回転させたが、ベッド１１をベッドの短辺に平行な軸を中心に回転させたることもできる。
また、ベッド１１、支持体１２、テーブル１３等の材料については言及しなかったが、これらは、木材のほか、金属パイプやプラスチックを組み合わせて構成することもできる。
【符号の説明】
【００３７】
１      収容式ベッド
９      収容式ベッド
１１    ベッド
１２    支持体
１３    テーブル
１４    リンク
９１    ベッド
９２    支持体
９３    テーブル
９４    リンク
１１１  マット台
１１３  テーブル
９１１  マット台
Ｅ１    突起片
Ｅ２    突起片
Ｅ３    突起片
Ｆ      床面
ＦＸ１  第１固定軸
ＦＸ２  第２固定軸
Ｊ      台脚
Ｌ１    距離
Ｌ２    間隔
ＭＶ１  第１移動軸
ＭＶ２  第２移動軸
Ｓ１    台面
Ｓ２    テーブル面
【図１】
2013192734.tif 000003
【図２】
2013192734.tif 000004
【図３】
2013192734.tif 000005
【図４】
2013192734.tif 000006
【図５】
2013192734.tif 000007
【図６】
2013192734.tif 000008
【図７】
2013192734.tif 000009
【図８】
2013192734.tif 000010
【図９】
2013192734.tif 000011